(57)【要約】【課題】本発明は、エレベータかご内部を空気調和する空気調和機に対象を絞って、運転条件設定の切換え作業性の向上化を図るとともに、単機能化によるコストの低減と信頼性の向上を得られるエレベータ装置を提供する。【解決手段】乗員を乗り降り自在に収容し昇降駆動されるエレベータかご２の天井部ａに、吸込みダクト５および吹出しダクト６を介してエレベータかご内部と連通しエレベータかご内部を空気調和する空気調和機Ｓを搭載し、複数の運転条件設定ボタン２３および表示部２２を備えたワイヤレスリモコン２０から運転条件設定を切換え指令する赤外線を送信し、この赤外線をエレベータかご内部に露出する受光窓１５を備えた受光器１２で受信し、エレベータかごの天井部にワイヤレスリモコンから発せられる赤外線を受光器を経由して受け空気調和機を制御する制御部１１が取付けられる。【選択図】      図２
2005008400.tif 000002
【特許請求の範囲】
【請求項１】
乗員を乗り降り自在に収容し、昇降駆動されるエレベータかごと、
このエレベータかごの天井部に搭載され、吸込みダクトおよび吹出しダクトを介してエレベータかご内部と連通し、エレベータかご内部を空気調和する空気調和機と、
複数の運転条件設定ボタンおよび表示部を備え、運転条件設定の切換え指令光信号を送信するワイヤレス式操作手段と、
上記エレベータかご内部に露出する受光部を備え、上記ワイヤレス式操作手段から発せられる指令光信号を受信する受光手段と、
上記エレベータかごの天井部に取付けられ、上記ワイヤレス式操作手段から発せられる指令光信号を上記受光手段を経由して受け、指令光信号にもとづいて上記空気調和機を制御する制御手段と
を具備することを特徴とするエレベータ装置。
【請求項２】
上記エレベータかごは複数台並設され、それぞれのエレベータかごに搭載される上記制御手段は、全て共通の上記ワイヤレス式操作手段の信号形態にて動作することを特徴とする請求項１記載のエレベータ装置。
【請求項３】
上記受光手段と上記制御部とを電気的に接続するリード線は、上記空気調和機と上記エレベータかごとを連通する上記吸込みダクト内部に挿通されることを特徴とする請求項１記載のエレベータ装置。
【発明の詳細な説明】
【０００１】
【発明の属する技術分野】
本発明は、エレベータかご内部を空気調和する空気調和機を搭載したエレベータ装置に関する。
【０００２】
【従来の技術】
エレベータ装置を構成するエレベータかごの天井部に、冷凍サイクルを利用してエレベータかご内部を冷房し、もしくは暖房する空気調和機が載設される。この空気調和機は、本体内に室内熱交換器と室外熱交換器を備えた、いわゆる一体形のものが用いられる。
【０００３】
エレベータの空気調和機は、常に運転を行うのではなく、エレベータの使用状況と省エネルギーの見地から、一般的にビル管理者が運転時間帯などを設定している。たとえば、昼間に使用頻度の多い会社などのビルでは、朝、空気調和機の運転を開始し、夕方になったら空気調和機の運転を停止し、夜間はエレベータ自体の運転を行わないなどの運転時間帯の設定がある。
【０００４】
また、季節の変化等に応じて、上記空気調和機に対する運転条件設定の切換え操作をなす必要がある。たとえば、冷房運転から送風運転への切換え、あるいは送風運転から暖房運転への切換え等である。そして、各運転モードの設定切換えに応じて、室温であるエレベータかご内部の温度条件や、風量も設定し直さなければならない。
【０００５】
従来のエレベータ装置においては、ビル管理者以外の一般の人が、不用意に運転停止を操作したり、空気調和機の運転温度や送風量などの設定条件を変更することができないようにしている。また、いたずらを避けるため、空気調和機の操作スイッチは、通常、エレベータの操作パネルの近傍の壁面に設けた扉のついた収納ボックス内に設置し、扉は鍵により施錠して一般の人が操作できないようにしている。このため、ビル管理人は、毎日空気調和機の運転開始時と停止時に、エレベータかご内に入り開閉扉の鍵を開錠して扉を開き、空気調和機の操作スイッチを操作していた。
【０００６】
ところが、大規模な建築物においては多数台のエレベータ装置が並設されるので、略同一時間の範囲内で全てのエレベータ装置のエレベータ内に入り、開閉扉の鍵を開錠し、かつ開閉扉を開放して必要な操作をなすこととなり、作業性があまり良いものではなかった。
【０００７】
［特許文献１］には、１つのデータ設定装置を用いて、調整したい電装機器の設定データを入力し、このデータを赤外線によりデータ受信機に伝達させ、データ入力装置を通じて電装機器集中制御装置に入力するようにしたエレベータ電装機器の制御装置が開示されている。
【０００８】
【特許文献１】
特開平８−６７４４３号公報
【０００９】
【発明が解決しようとする課題】
ところで、［特許文献１］のエレベータ電装機器の制御装置は、たとえばエレベータかごや各階乗り場における音声報知装置、エレベータかご内の調光（光量調整）照明装置、ＢＧＭ放送設備、換気フィン、エアコン等の多くの機器を対象としている。
【００１０】
そればかりでなく、上述の制御装置では上記データ設定装置に、一括調整か否かの選択ボタンを備えていて、”一括”を選択すると、そのデータは各エレベータ制御装置の間を接続するエレベータネットワークを通じて、他の号機に伝達される。他号機においても同じデータの設定が同時になされ、多数台のエレベータに対して一括して各種の設定を行うことができる。
【００１１】
このようにして、［特許文献１］の技術では、多数台のエレベータ装置自体の運転制御と、それぞれのエレベータ装置に設置した空気調和機および照明装置などの制御をすべて一括して管理制御するため、比較的大規模な制御システムが必要となるものであり、高層ビルなどのエレベータ装置が多数設置されて、エレベータ装置相互の運転管理を行うような比較的大規模な建築物に設置するのに適している。
【００１２】
これに対して、特に、エレベータ装置が１台から数台程度の比較的中規模以下の建築物などでは、通常エレベータと空気調和機は制御システムを含めて、必ずしもセットで構成されるものではなく、空気調和機を設置しない場合や、空気調和機を必要に応じて付加したり、また既設のエレベータに空気調和機を追加して設置する場合などのケースがある。このような場合は、エレベータと空気調和機をセットにして多数台設置することが前提の上記制御システムでは、その適用性と経済性に劣るものとなってしまう。
【００１３】
本発明は、上述の事情を考慮してなされたものであり、その目的とするところは、エレベータかご内部を空気調和する空気調和機をエレベータの制御システムとは独立して構成させ、運転操作の作業性向上化を図るとともに、単機能化によるコストの低減化と信頼性の向上化を得られるエレベータ装置を提供しようとするものである。
【００１４】
【課題を解決するための手段】
本発明の空気調和機は上述の目的を満足するためになされたものであり、乗員を乗り降り自在に収容し昇降駆動されるエレベータかごの天井部に、吸込みダクトおよび吹出しダクトを介してエレベータかご内部と連通しエレベータかご内部を空気調和する空気調和機を搭載し、複数の運転条件設定ボタンおよび表示部を備えたワイヤレスリモコンから運転条件設定の切換え指令光信号を送信し、この指令光信号をエレベータかご内部に露出する受光窓を備えた受光器で受信し、エレベータかごの天井部にワイヤレスリモコンから発せられる指令光信号を受光手段を経由して受け空気調和機を制御する制御部が取付けられる。
【００１５】
このような課題を解決する手段を採用することにより、エレベータかご内部を空気調和する空気調和機の運転条件設定の切換え作業が容易になり、単機能化によりコストが低減し信頼性が向上する。
【００１６】
【発明の実施の形態】
以下、本発明の実施態様を、図面にもとづいて詳細に説明する。
図１は、エレベータ装置乗り場の正面図である。このエレベータ装置Ａの乗り場は、たとえば、いわゆる超高層ビルと呼ばれる大規模建築物内に備えられていて、複数台のエレベータ装置Ａが並設された状態を示している。
【００１７】
各エレベータ装置Ａは、建築物壁面に設けられる扉体１と、この扉体１に対して昇降移動するエレベータかご２を備えている。上記扉体１の側部壁面には、上層階もしくは下層階への行き先選択ボタン３と、エレベータかご２の現在階位置を表示する表示部４が設けられる。扉体１の上部壁面には、エレベータかご２の到着予告と扉体１の開放を点滅表示する表示灯４が設けられる。
【００１８】
図２は、エレベータかご２と、このエレベータかご２の天井部ａに載設される空気調和機Ｓの概略の斜視図である。
上記エレベータかご２は、図の手前側である前面に開閉扉ｂが設けられ、建築物壁面に設けられる上記扉体１と同時に開放することにより、エレベータかご２内部に乗員が出入りできる。上記空気調和機Ｓとは別の天井部位にワイヤｃが接続され、エレベータかご２はワイヤｃによって吊持される。
【００１９】
この上方部には巻き上げ機が配置され、一端にエレベータかご２を吊持するワイヤｃが巻き付けられる。上記ワイヤｃの他端にはガイドレールに沿って移動するウエイトが取付けられ、上記エレベータかご２とバランスをとって昇降駆動される。
【００２０】
上記空気調和機Ｓにおける筐体内部の構成は図示していないが、内部に区画形成された室内ユニット部および室外ユニット部を備えている、一体型空気調和機である。
【００２１】
室内ユニット部には吸込み口と吹出し口が開口していて、吸込み口に一端部が接続される吸込みダクト５および、吹出し口に一端部が接続される吹出しダクト６の各他端部は、エレベータかご２の天井化粧板に開口する室内吸込み口および室内吹出し口に接続される。したがって、室内ユニット部とエレベータかご２内部とは、吸込みダクト５および吹出しダクト６を介して互いに連通される。
【００２２】
室内ユニット部における吸込み口と吹出し口との間に室内熱交換器と、この室内熱交換器に対向して送風機が配置される。室内ユニット部の底面部は室内熱交換器で生成されるドレン水を受けるドレンパンとなっていて、このドレンパンは室内ユニット部ばかりでなく、室外ユニット部にも亘って形成される。
【００２３】
上記室外ユニット部における筐体の両側面部に外気吸込み口７が設けられ、かつ前面部にはファンガードで覆われる吹出し口８が設けられる。室外ユニット部には室外熱交換器と室外送風機とが対向して配置され、隅部には周囲を補助仕切り板によって囲まれ室外熱交換器に対する熱的影響の阻止および騒音の漏れ防止がなされた圧縮機が配置される。
【００２４】
上記吹出し口８と対向する位置に室外送風機が配置され、外気吸込み口８から室外ユニット部に外気を吸込み、室外熱交換器と室外送風機を介して吹出し口８から外部へ吹出す通風路が形成されている。
【００２５】
さらに、室外熱交換器の略中心位置に対向してドレンスプラッシャーが配置され、冷房運転時に室内ユニット部から流れて室外ユニット部に溜められるドレン水を掻き上げ、室外熱交換器に降り掛けて熱交換効率の向上を図るようになっている。
【００２６】
上記エレベータかご２の天井部ａで空気調和機Ｓの近傍部位には、電気部品箱１０が配置される。この電気部品箱１０内部には、多数の電気制御部品を組み合わせてなる制御部（制御手段）１１が収容される。上記制御部１１は、少なくとも上記空気調和機Ｓを構成する各電動部品と電気的に接続されていて、後述するように電動部品に対する駆動制御が可能である。
【００２７】
さらに、上記空気調和機Ｓの近傍部位には指令光信号である赤外線を受け、その信号を上記電気部品箱１０内の制御部１１へ送る受光器（受光手段）１２が取付けられる。なお説明すると、上記空気調和機Ｓと電気部品箱１０はエレベータかご２の天井部ａ上に搭載されるが、上記受光器１２は照明灯とともに天井化粧板１３に設けられる。この天井化粧板１３とエレベータかご２の天井部ａとは所定の間隙を存している。
【００２８】
図３は、上記受光器１２の概略の斜視図である。受光器本体１４は矩形状の箱体であり、この一側面に赤外線を受ける受光窓（受光部）１５を備えている。上記天井化粧板１３には受光窓１５が嵌め込まれる丸型の開口部が設けられていて、ここからエレベータかご２内部に受光窓１５が露出する。
【００２９】
上記受光器本体１４から所定長さのリード線１６が延在されていて、このリード線１６の端部にはコネクタ１７が取付けられる。そして、上記リード線１６のほとんど大部分は、空気調和機Ｓにおける室内ユニット部とエレベータかご２内部を連通する吸込みダクト５と吹出しダクト６のうちの、吸込みダクト５を選択して挿通される。
【００３０】
一方、エレベータかご２における天井化粧板１３の所定部位に、上記コネクタ１７と電気的に接続するコネクタ受けが取付けられている。このコネクタ受けを複数個、それぞれが異なる部位に取付けておけば、エレベータかご２の天井化粧板１３における受光器１２の取付け位置の選択幅が拡大する。
【００３１】
図４は、ワイヤレスリモコン（ワイヤレス式操作手段）２０の正面図である。ワイヤレスリモコン２０は小型で携帯に便利であり、端部に指令光信号である赤外線を出す送信部２１を備えている。ワイヤレスリモコン２０の正面上端には液晶表示部２２が設けられ、選択した運転モードの表示、選択した室温の表示、検出室温の表示、選択した風量の表示などが行なわれる。
【００３２】
上記液晶表示部２２の下部側には、運転条件選択ボタン群２３が設けられる。これは、運転開始と運転停止を選択するボタン２４、必要な風量を選択するボタン２５、冷房運転や除霜運転、送風運転や暖房運転等の運転モードの切換えを選択するボタン２６などからなる。
【００３３】
図５は、エレベータかご２の内部を示す図である。天井化粧板１３には、平板状の照明部３０が設けられ、その周囲にグリルで覆われた室内吸込み口３１と室内吹出し口３２が設けられる。室内吸込み口３１は吸込みダクト５を介して、かつ室内吹出し口３２は吹出しダクト６を介して、それぞれ空気調和機Ｓの室内ユニット部に連通されることは上述したとおりである。
【００３４】
さらに、天井化粧板１３の隅部に、できるだけ目立たないようにして上記受光窓１５が露出している。同図は、実際にワイヤレスリモコン２０を用いて空気調和機Ｓに対する運転条件設定の切換えをなしている状態を示している。
【００３５】
なお説明すると、作業者がワイヤレスリモコン２０を持ってエレベータかご２の内部に入る。このとき、脚立など不要であることは言うまでもない。ワイヤレスリモコン２０の送信部２１を受光窓１５に向けながら、運転条件選択ボタン群２３に対して必要な操作をなす。
【００３６】
すなわち、先に説明したような運転条件を選択し、そのうえで運転／停止ボタン２４を押す。ワイヤレスリモコン２０から受光部１５へ赤外線が送信され、受光部１５で受光した信号は電気部品箱１０内の制御部１１へ送られる。
【００３７】
図６は、ワイヤレスリモコン２０から送られる操作信号のフローを示す図である。空気調和機Ｓが室内ユニット部と室外ユニット部とに区画形成されているのと対応して、制御部１１も室内側制御部１１Ａと室外側制御部１１Ｂとに分かれている。
【００３８】
ワイヤレスリモコン２０から受光部１５を介して制御部１１に導かれた指示信号は、室内側制御部１１Ａにおいて受信され、室内機制御信号が出る。具体的には、室内側運転指令信号発生機能、温度演算の演算機能、圧縮機の再起動３分遅延機能、室内ファン起動補償機能、室内熱交換器レリースの信号処理等が行なわれ、室内ファンモータの制御をなす。
【００３９】
ついで、運転指令信号が出て、室外側制御部とシリアル信号の送受信が行われる。室外側制御部では、室外側制御信号に代る。具体的には、インバータ出力周波数制御、温度演算の演算機能、ＡＤ変換機能、圧縮機再起動遅延機能、電流レリース機能、ＧＴ過電流保護機能の信号処理等が行われ、圧縮機と、室外ファンモータと、電子膨張弁と、ドレンスプラッシャー用モータと、ドレン水を検出するフロートスイッチの制御をなす。
【００４０】
たとえば冷房運転を指示することにより、エレベータかご２内の空気が室内吸込み口３１から室内ユニット部に吸込まれ、室内熱交換器で熱交換をなし、冷気に変わって室内吹出し口３２から吹出される。エレベータかご２内に冷気が供給されて、エレベータかご２内の冷房をなす。
【００４１】
暖房運転を指示することにより、エレベータかご２内の空気が室内吸込み口３１から室内ユニット部に吸込まれる。そして、室内熱交換器に導かれて熱交換をなし、暖気に変わって室内吹出し口３２から吹出される。エレベータかご２内に暖気が供給されて、エレベータかご２内の暖房をなす。
【００４２】
エレベータかご２の天井化粧板１３に受光窓１５が露出しているので、作業者はワイヤレスリモコン２０の送信部２１を受光窓１５に向けて必要な設定切換え操作をなせばよく、速やかに作業が行える。そして、受光器１５がエレベータかご２の天井化粧板１３に取付けられ、かつ受光窓１５がほとんど人目につかないので、意匠的にもシンプルな構成とすることができる。
【００４３】
作業者は、単にワイヤレスリモコン２０を持ってエレベータかご２内に入り、ワイヤレスリモコン２０に対する設定操作だけ行えばよいので、従来のように開閉扉の鍵を開錠し、扉を開放する作業が不要となり、操作性の向上を得る。
【００４４】
先に説明したように、エレベータ装置Ａが複数台並設されていて、それぞれのエレベータかご２に空気調和機Ｓと、この空気調和機Ｓを制御する制御部１１を収容する電気部品箱１０が搭載される。
【００４５】
たとえば、各エレベータかご２における制御部１１の受信信号を、全て共通する信号形態に設定すると、エレベータかご２内はそれぞれが独立した部屋を構成し、隣設されるエレベータ装置Ａにリモコン信号が漏れないため、全てのエレベータ装置Ａの空気調和機Ｓに対する運転設定条件の切換え操作を、一台のワイヤレスリモコン２０で行うことができ、操作性の向上を得られ、管理的にも有利となる。
【００４６】
そして、受光器１２と制御部１１とを電気的に接続するリード線１６を、空気調和機Ｓとエレベータかご２とを連通する吸込みダクト５内部に挿通するようにした。すなわち、冷房運転時には吸込みダクト５にエレベータかご２内の暖かい空気が導かれる一方で、吹出しダクト６には空気調和機Ｓで熱交換された冷気が導かれる。
【００４７】
したがって、リード線１６を吹出しダクト６に挿通すると、リード線１６に冷気が接触して露付きが生じる虞れがあり、電気事故の発生要因を作ってしまう。これに対してリード線１６を暖かい空気が流通する吸込みダクト５内に挿通すれば、露付等の不具合が生じることがなく安全である。
【００４８】
なお、上記ワイヤレスリモコン２０における設定ボタンの一つとして、Ａ−Ｂ切換えボタンを設定しておくと便利である。たとえば、エレベータ装置の扉体１が通路等を介して向い合わせに対向設置された場合に、一方側のエレベータ装置ＡをＡ信号にもとづき運転条件設定の切換えができ、対面する他方側のエレベータ装置ＡはＢ信号にもとづいて運転条件設定の切換えができる。
【００４９】
このようにした場合、たとえば一方側のエレベータ装置Ａから対面する他方側のエレベータ装置Ａに向かって、不用意にリモコン操作を行なったとしても、その操作により対面する他方側のエレベータ装置Ａにおける空気調和機Ｓの操作が行われることを防止できる。
【００５０】
なお、上記受光器１２に受信音のスピーカを備えることで、ワイヤレスリモコン２０に対する運転条件設定の切換え操作を音で確認でき、あるいは空気調和機Ｓの運転開始と運転停止を音で確認できることとなり、サービス性の向上を得られる。
さらに、上記受光器１２にＬＥＤを備えることで、ワイヤレスリモコン２０に対する設定運転条件あるいは運転状態を表示でき、サービス性の向上を得られる。
【００５１】
【発明の効果】
以上説明したように本発明によれば、エレベータかご内部を空気調和する空気調和機に対象を絞って、運転条件設定の切換え作業性の向上化を図り、単機能化によるコストの低減と信頼性の向上を得られるなどの効果を奏する。
【図面の簡単な説明】
【図１】本発明の実施形態を示す、エレベータ装置乗り場の正面図。
【図２】同実施形態を示す、エレベータ装置の外観斜視図。
【図３】同実施形態を示す、受光器の斜視図。
【図４】同実施形態を示す、ワイヤレスリモコンの正面。
【図５】同実施形態を示す、ワイヤレスリモコンの操作状態を説明する図。
【図６】同実施形態を示す、ワイヤレスリモコンからの制御信号のフローを説明する面。
【符号の説明】
２…エレベータかご、５…吸込みダクト、６…吹出しダクト、Ｓ…空気調和機、２０…ワイヤレスリモコン（ワイヤレス式操作手段）、１２…受光器（受光手段）、１１…制御部（制御手段）、１６…リード線。
【図１】
2005008400.tif 000003
【図２】
2005008400.tif 000004
【図３】
2005008400.tif 000005
【図４】
2005008400.tif 000006
【図５】
2005008400.tif 000007
【図６】
2005008400.tif 000008